(57)【要約】【課題】歩行操縦形態の堆肥散布機では、車体上の堆肥供給ホッパーの容量が制限され易く、又、ホッパーの前壁、乃至後壁部の傾斜角を緩くして、堆肥収容量を多くすれば、このホッパー内の堆肥の繰込が円滑に行われ難く、繰込残留量も多くなり易い。【解決手段】後側に操縦ハンドル１を有した車体２の前部に、堆肥を収容して供給しうるホッパー３と、このホッパー３から供給される堆肥を受けて回転しながら放出拡散する拡散羽根盤４とを設けた堆肥散布機において、前記ホッパー３の後壁５上部にホッパハンドル６の把持で揺動可能の揺動板７を設けたことを特徴とする堆肥供給ホッパーの構成とする。【選択図】図１
2005137221.tif 000002
【特許請求の範囲】
【請求項１】
後側に操縦ハンドル（１）を有した車体（２）の前部に、堆肥を収容して供給しうるホッパー（３）と、このホッパー（３）から供給される堆肥を受けて回転しながら放出拡散する拡散羽根盤（４）とを設けた堆肥散布機において、前記ホッパー（３）の後壁（５）上部にホッパハンドル（６）の把持で揺動可能の揺動板（７）を設けたことを特徴とする堆肥供給ホッパー。
【請求項２】
前記ホッパー（３）の後壁（５）上の揺動板（７）は、このホッパー（３）の前壁（８）や後壁（５）よりも緩傾斜に設け、この後壁（５）屈曲部（Ｋ）に接近して回転する繰込リール（９）を設けたことを特徴とする請求項１に記載の堆肥散布機の堆肥供給ホッパー。
【請求項３】
前記ホッパー（３）の前壁（８）上部に前側に回動可能の開閉板（１０）を設けたことを特徴とする請求項１、又は２に記載の堆肥散布機の堆肥供給ホッパー。
【発明の詳細な説明】
【技術分野】
【０００１】
堆肥収容量を多くし、この収容堆肥の繰出供給性を円滑にする堆肥散布機の堆肥供給ホッパーに関する。
【背景技術】
【０００２】
堆肥散布機の堆肥供給ホッパーにおいて、後側の揺動板を動力連動で揺動させる技術が知られている（例えば、特許文献１参照）。
【特許文献１】実開平３−１２７２０号公報（第１頁、図１）
【発明の開示】
【発明が解決しようとする課題】
【０００３】
歩行操縦形態の堆肥散布機では、車体上の堆肥供給ホッパーの容量が制限され易く、又、ホッパーの前壁、乃至後壁部の傾斜角を緩くして、堆肥収容量を多くすれば、このホッパー内の堆肥の繰込が円滑に行われ難く、残留量も多くなり易い。
【課題を解決するための手段】
【０００４】
請求項１に記載の発明は、後側に操縦ハンドル１を有した車体２の前部に、堆肥を収容して供給しうるホッパー３と、このホッパー３から供給される堆肥を受けて回転しながら放出拡散する拡散羽根盤４とを設けた堆肥散布機において、前記ホッパー３の後壁５上部にホッパハンドル６の把持で揺動可能の揺動板７を設けたことを特徴とする堆肥供給ホッパーの構成とする。車体２は後側の操縦ハンドル１部で操作して進行させる。ホッパー３に堆肥を収容させて、底部の拡散羽根盤４を回転することにより、このホッパー３内の堆肥が拡散羽根盤４により前方圃場面に飛散されて拡散、散布される。このホッパー３内の堆肥が減少して、後側の揺動板７上面に堆肥の一部が残留しているときは、ホッパハンドル６を把持して、この揺動板７を上下に揺動することによって、残留堆肥を拡散羽根盤４側へ供給する。
【０００５】
請求項２に記載の発明は、前記ホッパー３の後壁５上の揺動板７は、このホッパー３の前壁８や後壁５よりも緩傾斜に設け、この後壁５屈曲部Ｋに接近して回転する繰込リール９を設けたことを特徴とするものである。前記堆肥散布作業において、傾斜角の緩い揺動板７上の堆肥は、この下端部で回転する繰込リール９によって繰出されて、拡散羽根盤４側へ供給される。
【０００６】
請求項３に記載の発明は、前記ホッパー３の前壁８上部に前側に回動可能の開閉板１０を設けたことを特徴とするものである。堆肥を収容するときは、開閉板１０を開いた状態として、この開閉板１０の開かれた開口部からホッパー３内へ堆肥を供給する。この収容量が所定量に達すると、開閉板１０を閉めてホッパー３の収容量を大きくした状態で堆肥の収容を行わせる。堆肥の散布作業において、ホッパー３内の堆肥が所定量に減少した状態では、開閉板１０を開くことによって、作業者は運転しながら、ホッパー３の上部からこの開閉板１０の開かれた開口部を通して、車体２の直前方下部を見ながら操縦することができる。
【発明の効果】
【０００７】
請求項１に記載の発明は、ホッパー３の後壁５の上部において、揺動板７をホッパハンドル６で揺動可能に設けることによって、この揺動板７部の傾斜角を緩く設定して、ホッパー３の堆肥収容量を増大させることができる。しかも、このホッパハンドル６は操縦ハンドル１側にあるため、運転操縦しながら揺動板７の揺動操作を行うことができ、簡単な構成、操作で、的確な堆肥の繰込供給を行わせることができる。
【０００８】
請求項２に記載の発明は、繰込リール９が後壁５屈曲部Ｋに接近した位置で回転されるため、揺動板７からの堆肥の繰込が速やかに行われ、この揺動板７上に残留した堆肥をホッパパンドル６による揺動で供給するとき、この繰込リール９による強制繰込みによって、迅速、的確な供給を行わせ、操作を簡単で、容易にすることができる。
【０００９】
請求項３に記載の発明は、ホッパー３の前壁８上部の開閉板１０を開くことができるため、このホッパー３への堆肥の供給を低位置から容易に行うことができ、又、この開閉板１０を開いた状態で堆肥散布作業を行ったり、車体２の前進走行を行うときは、運転作業者の前方視界を広くして、運転を容易に行わせることができる。
【発明を実施するための最良の形態】
【００１０】
図例に基づいて、車体２は、左右一対のクローラ１１を有して、後端部に搭載のエンジン１２の駆動によって、後端のスプロケット１３、軸１４を伝動して走行しうる。１５はその伝動ケースである。操縦ハンドル１は、この車体２の後部に取付けられて、エンジン１２の後側上部に突出され、サイドクラッチレバー１６や、走行クラッチレバー５３、スロットル等を配置し、この下方には変速レバー１８や作業クラッチレバー１７等を設ける。ホッパー３は、側面視漏斗形態で、車体２の前端部上に底部のホッパ底口１９を位置させて、シャッター２０で開閉できる。このホッパ底口１９の下側には、上下方向の盤軸２１の周りに回転する左右一対の拡散羽根盤４、及びこれを覆うケース２２が設けられる。このケース２２の吐出口２３が前側に形成される。このホッパー３の前壁８と後壁５は、堆肥の流下しうる安息角内に急勾配に傾斜形成されるが、前壁８は後壁５よりも急勾配に形成している。
【００１１】
前記ホッパー３の前壁８の上部には略全幅にわたる開口部２４を形成して、開閉板１０を開閉回動自在に開閉軸２５で支持する。この開閉軸２５は開口部２４の下辺部に沿って設けられ、ホッパー３の外側を上下回動自在に設けられる。この開閉板１０は通常時は開口部２４を閉鎖した状態に止めピン２６で係止して、ホッパー３の前壁８上部を形成することができるが、この止めピン２６を外して下方へ回動して前方水平状に止めることができる。ホッパー３の上端部に連結の保持具２７をこの開閉板１０に係止して、水平位置Ａに維持すると、この開閉板１０を荷受台として堆肥袋２８等を載せることができ、袋２８詰めの堆肥や厩肥をこの開口部２４からホッパー３内へ供給するのに便利である。又、保持具２７で係止しない場合は、下方の垂下位置Ｂに回動できる。
又、ホッパー３内の後壁５上部には後方上部にわたって略全幅に沿った揺動板７が、下端部の板軸３０の周りに上下回動自在Ｅに設けられ、この後端部に形成のホッパハンドル６の把持操作によって回動することができ、この揺動Ｅによって揺動板７上に残留する堆肥を下方の後壁５内へ流下させることができる。３１はホッパー３に設けられるストッパーで、揺動板７の下動を係止することができる。この揺動板７は後壁５よりも緩傾斜に設定されて、ホッパー３の収容量を大きくするように形成される。ホッパー３の上周縁上には、増枠３２が着脱可能に設けられ、堆肥の積載量を増すことができる。又、この揺動板７の後端部には該増枠３２と同高さの増板を一体形成してもよい。
【００１２】
前記ホッパー３内には、ホッパ底口１９上に掻込ロータ３３を軸装３４して、前記盤軸２１を伝動する駆動軸３５からチェン３６を介して減速回転される。繰込リール９は、この掻込ロータ３３の上方後部において軸装３７されて、このロータ軸３４からチェン３６を介して更に減速伝動回転される。この繰込リール９の回転外周部は後壁５の屈曲部Ｋ、及び揺動板７の下端面に接近して回転する。
これら繰込リール９や掻込ロータ３３等は、軸３７,３４の周りに放射状に杆状乃至板状の部材を配置して、回転により堆肥を掻き取りしながら撹拌したり掻込むもので、ホッパ底口１９から拡散羽根盤４の回転上面へ繰込むものである。
このようなホッパー３の後側の操縦ハンドル１との間には、ベルト３８,３９,４０等の減速伝動機構を設けて覆う伝動カバー４１が設けられ、この上側に荷台４２が設けられる。このベルト４０は拡散羽根盤４等の駆動軸３５を伝動回転する。
前記ベルト３９のテンションクラッチ４３プーリのアーム４５が、スプリング４４と操作ワイヤー４６又はロッド等の連結部材を介して作業クラッチレバー１７に連結されて、拡散羽根盤４や、繰込リール９、繰込ロータ３３等の伝動を入り切りできる。ホッパ底口１９のシャッター２０は、シャッタレバー４７の操作で、リンクロッド４８,４９や、リンクアーム５０等の連動機構を介して開閉作動される。
【００１３】
ホッパー３に堆肥を供給するときは、最初に前壁８部の開閉板１０を開いて保持具２７で水平位置Ａに維持させる。ここで予め袋２８詰めした堆肥を供給するときは、作業者が車体２の前側からこの袋２８を開いた開閉板１０上に載せた状態で、開口部２４から堆肥をホッパー３内へ供給する。この堆肥を開口部２４以上の高さにまで供給するときは、開閉板１０で開口部２４を閉鎖して、このホッパー３の上側部から供給することとなる。このようにホッパー３に収容させた堆肥を圃場に散布するときは、作業者Ｃが操縦ハンドル１を把持操作しながら車体２を前進し、ホッパ底口１９のシャッター２０を開き、ベルト３９のテンションクラッチ４３を入りにすることによって駆動軸３５を減速伝動して、拡散羽根盤４や、繰込リール９、掻込ロータ３３等を回転伝動する。拡散羽根盤４の回転によって、上側のホッパー３からホッパ底口を経て繰込まれる堆肥が、この拡散羽根盤４上を経てケース２２前側の吐出口２３から前方圃場面に拡散放出される。
単なる車体２の走行時や、堆肥散布作業中でホッパー３内の堆肥所定以下に減少したときは、前記開口部２４の開閉板１０を垂下位置Ｂへ開くことによって、作業者Ｃは、ホッパー３内から開口部２４を通して車体２直前方を見通す視界Ｄを広くすることができ、的確な運転操作を行うことができる。
【００１４】
堆肥の散布作業中では、掻込ロータ３３の回転によって、ホッパー３下部の堆肥が撹拌されながら前、後壁８,５間を案内流下させて、ホッパ底口１９から拡散羽根盤４上に繰込ませる。又、この掻込ロータ３３の上部では、繰込リール９が回転して、後壁５上面の堆肥を撹拌しながら下側の掻込ロータ３３側へ送込む。このような傾斜角の大きい前、後壁８,５間のホッパー３内の堆肥は、繰込リール９や掻込ロータ３３等の回転によって撹拌されながら下方の拡散羽根盤４上へ繰込まれる。傾斜角の緩い揺動板７上面に収容されていた堆肥は滞留し易い状態にあるが、前記繰込リール９による後壁５上部の堆肥の送込作用によって、引き込まれるようになって、この揺動板７上の堆肥の滞留を少なくする。しかも、この揺動板７上の堆肥は、この揺動板７を作業者Ｃがホッパハンドル６で上下に回動揺動することによって、流下促進され、この下端部では繰込リール９によって掻き込まれるため、ホッパー３内での堆肥の繰込みを円滑に速やかに行わせることができる。
【００１５】
このようにホッパー３は、前壁８及び開閉板１０は傾斜角度が急であり、繰込リールの如き繰込機構を設けなくても、下方の繰込ロータ３３側への繰込を的確に行わせる。このためホッパー３の前部における堆肥収容量をも大きく維持できる。そして、後壁５上の揺動板７上は、この傾斜角を緩くしてホッパー３内の堆肥収容量を大きくしているが、この後壁５の屈曲部Ｋに接近して回転する繰込リール９を設けるため、この揺動板７上部の堆肥の繰込をも的確に円滑に行わせることができる。特に、この揺動板７上面に堆肥が滞留するときは、作業者Ｃが走行運転しながらホッパハンドル６を把持操作で、この揺動板７を上下揺動して堆肥を流下させることができ、ホッパー３内の堆肥収容量を大きくすると共に、拡散羽根盤４への繰込みを円滑に行わせるものである。
【図面の簡単な説明】
【００１６】
【図１】堆肥散布機の側面図。
【図２】その一部の拡大側断面図。
【図３】その正面図。
【図４】その平面図。
【符号の説明】
【００１７】
１    操縦ハンドル
２    車体
３    ホッパー
４    拡散羽根盤
５    後壁
６    ホッパハンドル
７    揺動板
８    前壁
９    繰込リール
１０    開閉板
Ｋ    屈曲部
【図１】
2005137221.tif 000003
【図２】
2005137221.tif 000004
【図３】
2005137221.tif 000005
【図４】
2005137221.tif 000006